(57)【要約】【課題】  ペット動物の毛などのダストを緩やかに吹き流し、強力に吸い込むことによってダストの外方への飛散をなくし、周囲を汚すことなく衛生的にトリミング作業などを行うことができるペット動物の美容台を提供する。【解決手段】  吹出口８に送気室４を経由して送風機３の空気吹出側を接続すると共に、吸引口１０にダスト溜室１２およびフィルター６を介して送風機３の空気吸引側を接続する。前記の送気室４に外気と連通する排気口１３を設ける。吹出口７と対峙して設けた吸引口１０は水平方向に開口する。【選択図】図１
0003153110.tif 000002
【実用新案登録請求の範囲】
【請求項１】
ペット動物などを乗せるテーブルの一側上部に、水平方向に開口する吹出口を設けると共に前記テーブルの他側に、吹出し空気をペットの毛などと共に吸引する吸引口を設けたペット動物の美容台において、前記吸引口からの空気吸引量を吹出口からの空気吹出し量より大きくしたことを特徴とするペット動物の美容台。
【請求項２】
吹出口に送気室を経由して送風機の空気吹出側を接続すると共に、吸引口にダスト溜室およびフィルターを介して送風機の空気吸引側を接続する一方、前記の送気室に外気と連通する排気口を設けたことを特徴とする請求項１のペット動物の美容台。
【請求項３】
吹出口と対峙して設けた吸引口を水平方向に開口したことを特徴とする請求項１のペット動物などの美容台。
【考案の詳細な説明】
【技術分野】
【０００１】  本考案は、犬猫などペット動物の美容台に係り、その改良に関するものである。
【背景技術】
【０００２】  ペット美容室に連れられて来た犬猫などのペット動物は、一般的にトリマーの手でシャンプーされ、ドライヤーで乾燥した後に美容カットされる。この際にペットを落ち着かせながら手際よく作業を行うために、ペット用の美容台が使用される。この種の美容台は、従来より各種のものが提案されている。【０００３】  一例として、ペット動物などを乗せる天板（テーブル）上の一端に空気の吹出口を、他端に吸入口を設けることによって、テーブル上に落下した毛など（以下、ダストという）を水平方向に吹き流して自動的に収集する美容台が特許文献１に開示される。
【先行技術文献】
【特許文献】
【０００４】
【特許文献１】  特開平２−８６７２０号
【考案の概要】
【考案が解決しようとする課題】
【０００５】  上に挙げた美容台の構成は、明細書中の詳細な説明さらには図３の説明図に記載した通りである。すなわち、作業台（テーブル）５１の一端部側に空気吹きつけ部５２を設け、他の端部側に吸引部５３を設け、その空気力学的な下部に１つ以上のフィルター５４を設け、上記フィルター５４の下部に送風機５６を設け、上記送風機５６の吐出風に対応して１つ以上の空気溜め部５７を設け、この空気溜め部５７からの空気を上記の空気吹きつけ部５２へ送る送風部５８を設け、上記各構成品を空気力学的に一体化して設置したものである。【０００６】  なお、従来発明における吸引部５３の構成は、図３に示されるようにテーブル５１端において上方空間に広く開口している。【０００７】  かかる従来の美容台においては、、早い速度で水平方向に吹き飛ばされたダストが遅い速度で下方向に吸引されるため、しばしばテーブルの端部から外方へ飛散してしまうという欠点があった。またこの構成のものは、収集されたダストによってフィルター５４の能力が低下するほど吸引力と吹出力の差が大きくなり、上記の欠点が一層顕著に現われるという問題点があった。【０００８】  また従来の美容台においては、前記したようにテーブル５１の端部において吸引部５３が上方空間に広く開口したものである。このため、テーブル５１上におかれたペット動物の足がそこに落ち込み、思わぬ怪我を生ずるなどの弊害も指摘された。
【課題を解決するための手段】
【０００９】  本考案は、上記した課題を解決するためになされたものであり、請求項１の考案は、ペット動物などを乗せるテーブルの一側上部に、水平方向に開口する吹出口を設けると共に前記テーブルの他側に、吹出し空気をペットの毛などと共に吸引する吸引口を設けたペット動物の美容台において、前記吸引口からの空気吸引量を吹出口からの空気吹出し量より大きくしたことを特徴とするものである。【００１０】  請求項２の考案は、吹出口に送気室を経由して送風機の空気吹出側を接続すると共に、吸引口にダスト溜室およびフィルターを介して送風機の空気吸引側を接続する一方、前記の送気室に外気と連通する排気口を設けたことによって課題を解決したものである。【００１１】  請求項３の考案は、吹出口と対峙して設けた吸引口を水平方向に開口したことによって課題を解決したものである。
【考案の効果】
【００１２】  本考案に係るペット動物の美容台は、吸引口からの空気吸引量を吹出口からの空気吹出し量より大きくしたことを特徴としたものである。このため、ペット動物の毛などのダストを緩やかに吹き流し、強力に吸い込むことができる。このため、ダストの外方への飛散により周囲を汚すことなく衛生的にトリミング作業などを行うことができる。【００１３】  また本考案に係るペット動物の美容台は、吹出口と対峙して設けた吸引口を水平方向に開口したことを特徴とするものである。このため、上方に開口する隙間がなく、ペット動物の足が落ち込んで思わぬ怪我を生ずるなどの弊害を解消することができる。
【図面の簡単な説明】
【００１４】
【図１】  本考案に係るペット動物の美容台の一実施例を示す縦断側面図である。
【図２】  同じく、縦断正面図である。
【図３】  従来のペット動物の美容台を示す説明図である。
【考案を実施するための形態】
【００１５】  送風機によって送られる空気は、送気室を通って吹出口からテーブル上に水平に吹き出される。このとき、送気の一部が排出口から外に放出される。送風機によって吸引される空気は、水平向きの吸引口に作用し、テーブル上に吹き出された空気と共にペット動物の毛などを吸引する。このように、本考案の美容台においては、吹出口の吹出風量より吸引口の吸引風量を多くし、吹出し速度と吸引速度とをバランス良く設定してダストの収集を行うようにする。
【実施例】
【００１６】  以下、本考案に係るペット動物の美容台を一実施例について具体的に説明する。図１は縦断側面図  図２は縦断正面図であって、１は箱形のフレーム  ２はフレーム１の上部に着脱可能に設置した水平のテーブル  ３はフレーム１内にして、回転軸を垂直に向けて取りつけた電動ファンなどの送風機  ４はテーブル２の下部にして送風機３の空気吐出し側（上側）に連結した送気室  ５はフレーム１の下部にして送風機３の空気吸込み側（下側）に連結した吸気室  ６は吸気室５の下端に取り外し自在に設けたフィルターである。【００１７】  次に７は吹出口８をテーブル２の一端上部に開口してフレーム１の上端に設けた空気吹出部  上記の吹出口８は水平方向に開口しており、そこからテーブル２の他端に向けて空気を吹出する。９は吸引口１０をテーブル２の他端上部に開口してフレーム１の上端に設けたダスト吸引部  上記の吸引口１０は水平に開口しており、前記した吹出口８に対峙している。この吸引口１０の面積は、吹出口８の３倍から１０倍ほどである。【００１８】  前記した吹出口８は、送気室４を介して送風機３の空気吐出し側に連結する。また吸引口１０は、後述する流通路１１、ダスト溜室１２、フィルター６および吸気室５を介して送風機３の空気吸込み側に連結する。上記のダスト溜室１２はフレーム１の最下部の設けた空間であり、流通路１１はダスト吸引部９の下部に設けた垂直の空間である。【００１９】  １３は送気室４と外気とを連通するようにフレーム１の側面部に穿設したルーバー状の排気口  １４はダスト溜室１２を開閉するようにフレーム１の背面下部に設けた蝶着扉  １５はフレーム１の下端に設けた移動用のキャスターホイル  １６は送風機３の回転操作スイッチである。【００２０】  なお、送風機３として使用した電動ファンは、振動が小さく所要の風量が得られる点で好ましいものであるが、これに代えてブロア、温風ファンなどを使用することができることは言うまでもない。
【符号の説明】
【００２１】  １  フレーム
２  テーブル
３  送風機
４  送気室
５  吸気室
６  フィルター
７  空気吹出部
８  吹出口
９  ダスト吸引部
１０  吸引口
１１  ダスト溜室
１３  排気口
１４  蝶着扉
【図１】
0003153110.tif 000003
【図２】
0003153110.tif 000004
【図３】
0003153110.tif 000005
【手続補正書】
【提出日】平成21年5月28日(2009.5.28)
【手続補正１】
【補正対象書類名】実用新案登録請求の範囲
【補正対象項目名】全文
【補正方法】変更
【補正の内容】
【実用新案登録請求の範囲】
【請求項１】
ペット動物などを乗せるテーブルの一側上部に、水平方向に開口する吹出口を設けると共に前記テーブルの他側に、吹出し空気をペットの毛などと共に吸引する吸引口を設けたペット動物の美容台において、前記吸引口からの空気吸引量を吹出口からの空気吹出し量より大きくしたことを特徴とするペット動物の美容台。
【請求項２】
吹出口に送気室を経由して送風機の空気吹出側を接続すると共に、吸引口にダスト溜室およびフィルターを介して送風機の空気吸引側を接続する一方、前記の送気室に外気と連通する排気口を設けたことを特徴とする請求項１のペット動物の美容台。
【請求項３】
吹出口と対峙して設けた吸引口を水平方向に開口したことを特徴とする請求項１のペット動物の美容台。